(57)【要約】      （修正有）【課題】容器体内の気泡の排出が迅速に行える吐出容器を提供する。【解決手段】シリンダ部材１０内へ筒状のピストン部材２０を上下動自在に嵌合させ、ピストン部材内周に吐出路付きの作動部材３０を抜止め手段３２を介して抜出し不能に貫設させ、シリンダ部材底壁内の嵌合筒１６の下端に付設の弾性片１７とシリンダ部材底壁との間に玉弁１５の吸込み弁を形成し、さらに嵌合筒上端と抜止め手段との間に作動部材を上方付勢のバネ材３５を設け、シリンダ部材に対してピストン部材と作動部材とが摺動して、ピストン部材がシリンダ部材の第２上向き段部１１ａへ係合することで作動部材の抜止め手段がピストン部材から下方へ離間して、吐出路の開口によりシリンダ部材内の内容液が吐出路を介して吐出可能とし、シリンダ部材に対するピストン部材と作動部材との上記と反対方向への摺動により、吸込み弁が開いて容器体の内容物をシリンダ部材内へ吸込み可能とした。【選択図】図１
2010235199.tif 000002
【特許請求の範囲】
【請求項１】
ポンプ作用によって容器体の内容物を塗布用のノズルヘッドから吐出可能に設けた吐出容器において、
前記容器体の口頸部３内へ、第１上向き段部を介して下端部を小内径部に形成したシリンダ部材１０の小外径部を嵌合させ、
該シリンダ部材内へ筒状のピストン部材２０を上下動自在に嵌合させ、
該ピストン部材内周に吐出路付きの作動部材３０を抜止め手段を介して抜出し不能に貫設させ、
前記シリンダ部材の底部内に嵌合筒１６を嵌合させて、該嵌合筒下端に弾性片１７を付設すると共に、該弾性片とシリンダ部材底壁との間に玉弁１５を設けて吸込み弁を形成し、さらに前記嵌合筒上端と抜止め手段との間に前記作動部材３０を上方付勢するバネ材３５を設け、
前記シリンダ部材１０に対して前記ピストン部材２０と前記作動部材３０とが摺動して、ピストン部材が前記シリンダ部材の第２上向き段部１１ａへ係合することにより作動部材の抜止め手段３２がピストン部材から下方へ離間して、前記吐出路を開口することでシリンダ部材内の内容液が吐出路を介して吐出可能に設け、
前記シリンダ部材１０に対するピストン部材２０と作動部材３０との上記と反対方向への摺動により、前記吸込み弁が開いて容器体の内容物を前記シリンダ部材内へ吸込み可能に設けた
ことを特徴とする吐出容器。
【請求項２】
前記容器体を前記シリンダ部材に対して着脱自在に形成することで、前記容器体を交換可能に設けたことを特徴とする請求項１記載の吐出容器。
【請求項３】
前記シリンダ部材１０の上部外面へノズルヘッド連結用の連結筒４０を嵌合させると共に、該連結筒の上部内から垂下する接続筒４６へ前記作動部材３０上部を嵌合させ、さらに前記連結筒４０外面へ嵌合させた把持筒５０内へ前記容器体を摺動自在に嵌挿させたことを特徴とする請求項１又は２記載の吐出容器。
【請求項４】
前記容器体の底部を押釦筒４で構成して、該押釦筒を介して容器体を上方へ押すことで吐出可能に設けたことを特徴とする請求項３記載の吐出容器。
【請求項５】
前記ノズルヘッド６０の上端部を塗布部６２に構成したことを特徴とする請求項１ないし４いずれか１項記載の吐出容器。
【発明の詳細な説明】
【技術分野】
【０００１】
本発明は容器体に装着したポンプによって容器体内容物を吐出可能に設けた吐出容器に関する。
【背景技術】
【０００２】
ポンプ作用により容器体内容物を吐出可能な吐出容器の例として、容器体上端部にポンプを設け、該ポンプから突出したステムに塗布具を上方付勢状態で押下げ可能に嵌着した塗布容器が従来技術として知られている。
【先行技術文献】
【特許文献】
【０００３】
【特許文献１】特開２００５−１８７００６号公報
【発明の概要】
【発明が解決しようとする課題】
【０００４】
しかしながら、このような塗布容器において、と容器体の上端部内へ空気が入って気泡が生じることがあるが、吐出時にこの気泡がポンプ機構に吸込まれると内容物が吐出されないか、あるいは吐出されても微量であり、そこで気泡が排出されるまでポンプ操作を繰り返さなければならないが、従来技術では内容物が吐出されるようになるまでに時間を要していた。特に、塗布具がリップペンと呼ばれるような細径のものでは、一回の吐出量が少量であることから、気泡が排出されるまでにある時間を要するという課題がある。
本発明は、上記課題を解決するためになされたもので、容器体交換後の気泡の排出が迅速に行える吐出容器を提供することを目的とする。
【課題を解決するための手段】
【０００５】
上記課題を解決するために、本発明は、ポンプ作用によって容器体の内容物を塗布用のノズルヘッドから吐出可能に設けた吐出容器において、
前記容器体の口頸部３内へ、第１上向き段部を介して下部を小内径部に形成したシリンダ部材１０の小外径部を嵌合させ、
該シリンダ部材内へ筒状のピストン部材２０を上下動自在に嵌合させ、
該ピストン部材内周に吐出路付きの作動部材３０を抜止め手段を介して抜出し不能に貫設させ、
前記シリンダ部材の底部内に嵌合筒１６を嵌合させて、該嵌合筒下端に弾性片１７を付設すると共に、該弾性片とシリンダ部材底壁との間に玉弁１５を設けて吸込み弁を形成し、さらに前記嵌合筒上端と抜止め手段との間に前記作動部材３０を上方付勢するバネ材３５を設け、
前記シリンダ部材１０に対して前記ピストン部材２０と前記作動部材３０とが摺動して、ピストン部材が前記シリンダ部材の第２上向き段部１１ａへ係合することにより作動部材の抜止め手段３２がピストン部材から下方へ離間して、前記吐出路を開口することでシリンダ部材内の内容液が吐出路を介して吐出可能に設け、
前記シリンダ部材１０に対するピストン部材２０と作動部材３０との上記と反対方向への摺動により、前記吸込み弁が開いて容器体の内容物を前記シリンダ部材内へ吸込み可能に設けた
ことを特徴とする。
【０００６】
また、本発明は、前記容器体を前記シリンダ部材に対して着脱自在に形成することで、前記容器体を交換可能に設けたことを特徴とする。
【０００７】
さらに、本発明は、前記シリンダ部材１０の上部外面へノズルヘッド連結用の連結筒４０を嵌合させると共に、該連結筒の上部内から垂下する接続筒４６へ前記作動部材３０上部を嵌合させ、さらに前記連結筒４０外面へ嵌合させた把持筒５０内へ前記容器体を摺動自在に嵌挿させたことを特徴とする。
【０００８】
さらに、本発明は、前記容器体の底部を押釦筒４で構成して、該押釦筒を介して容器体を上方へ押すことで吐出可能に設けたことを特徴とする。
【０００９】
さらに、本発明は、前記ノズルヘッド６０の上端部を塗布部６２に構成したことを特徴とする。
【発明の効果】
【００１０】
本発明は、シリンダ部材の下部を小内径部に形成し、またシリンダ部材の底部内に嵌合筒を嵌合させて、該嵌合筒下端に弾性片を付設すると共に、該弾性片とシリンダ部材底壁との間に玉弁を設けて吸込み弁を形成し、さらに嵌合筒上端と抜止め手段との間に作動部材を上方付勢するバネ材を設けたので、シリンダ部材は下部が小外径部に形成されていることに加えて、その内部には嵌合筒、玉弁およびバネ材が内装されているため、体積が従来に比較して小さく、したがって、ピストンの摺動時における吐出力を大にすることができ、よって気泡の排出を迅速に行うことができる。
【図面の簡単な説明】
【００１１】
【図１】本発明に係る吐出容器の断面図である。
【図２】作用説明図である。
【発明を実施するための形態】
【００１２】
以下、本発明の実施の形態について、図面を参照しながら詳細に説明する。
【００１３】
図１において、1は容器体で、筒体２上端から内向きフランジを介して口頸部３を起立すると共に、筒体２下部へ押釦筒４を嵌合させている。押釦筒４は下面開口の第１筒体５の上端部外面に下方小径のテーパ筒６を付設した第１栓筒７と、第１栓筒７より下方の筒体２部分内へ嵌合された第２栓筒８とから構成されていて、第２栓筒８は第２筒体９の小外径部９ａを筒体２内へ嵌合させ、かつ筒体２下面から下方へ突出する大外径部９ｂの底壁に透孔９ｃを穿設させている。後述のように筒体２は下方へ付勢されており、押釦筒４をあたかも押ボタンのように上方へ押すことで吐出可能である。
【００１４】
１０はシリンダ部材で、第１上向き段部を介して下端部を小内径部１１に形成して、該小内径部１１を容器体口頸部３内へ嵌合させ、また第１上向き段部よりやや上方に第２上向き段部１１ａを形成して、第２上向き段部より上方のシリンダ部材部分を第１大内径部１２に形成し、さらに第２上向き段部より上方のシリンダ部材部分を第３上向き段部を介して第２大内径部１３に形成している。
【００１５】
またシリンダ部材１０の小内径部１１の下端部内面から下方小径のテーパ筒１４を垂下して、テーパ筒１４内へ吸込み弁としての玉弁１５を上下動自在に嵌合させると共に、玉弁１５より上方のシリンダ部材内へ嵌合筒１６を嵌合させて、嵌合筒１６下端に玉弁１５押え用の弾性片１７を付設している。
【００１６】
２０はピストン部材で、シリンダ部材１０の内周面に筒部２１を上下動自在に嵌合させ、さらに筒部２１上端に内向きフランジを付設して、該内向きフランジ内周に保持筒部２２を貫設させている。
【００１７】
３０は作動部材で、ピストン部材２０の保持筒部２２内へ挿通させた作動杆３1の下部を上部より大径にして大径部に形成し、該大径部の上端に鍔部３２による抜止め手段を形成して、該抜止め手段を保持筒部２２下端へ当接させている。抜止め手段より上方の作動杆３１部分には図示しない吐出路が形成されていて、吐出路の下端は抜止め手段が保持筒部２２から下方へ離間することで開口可能に形成されている。抜止め手段と嵌合筒１６上端との間には作動杆３１を上方付勢するコイルバネからなるバネ材３５が設けられている。
【００１８】
４０は連結筒で、シリンダ部材１０の上部外面へ周壁４１下部を上下動自在に嵌合させて、該周壁４１下部に周方向へ任意の間隔をおいて縦設された割溝４１ａ内へシリンダ部材１０の上下方向中間部外面へ嵌合させた短筒外面の係合突部４１ｂを上下動自在に嵌合させている。
【００１９】
また連結筒４０の周壁４１上部を上向き段部４２を介して小内径部４３に形成し、小内径部４３上端に付設した内向きフランジ内周から嵌合筒４４を起立すると共に、嵌合筒４４内から垂設する接続筒４６の上部内面に凹凸の係合手段４７を設けて、該係合手段４７を作動部材３０の連結杆３１外面へ抜出し不能に嵌合させている。
【００２０】
さらに接続筒４６の下部外面に係合段部４８を形成して、係合段部４８とピストン部材２０との間にコイルバネからなるバネ材４９を設けて、該バネ材４９でピストン部材２０を下方へ付勢している。なお、４９ｂはシリンダ部材１０の上端部内へ嵌合させた内筒で、該内筒内へ接続筒４６下部を嵌合させている。
【００２１】
５０は把持筒で、上端部を連結筒４０下部へ螺合させた筒部５１ａ内へ容器体１を上下動自在に嵌挿させ、かつ筒部５１ａ上端を連結筒４０の下部外面に付設された鍔部４２ａへ当接させている。
【００２２】
６０は塗布用のノズルヘッドで、上端部に塗布部６１としてのノズルが設けられた筒状ヘッド本体６２の下部を嵌合筒４４付き小内径部４３へ嵌着させている。
【００２３】
７０はノズルヘッド６０を覆うキャップで、周壁７１下部を連結筒４０外面へ螺合させている。
【００２４】
次に作用について説明する。吐出するには、把持筒５０を持って容器体１の底部、すなわち押釦筒４を上方へ押せばよく、するとシリンダ部材１０が上昇して第２上向き段部１１ａがピストン部材２０下端へ係合してピストン部材を上昇させるため、図示しない吐出路が開口する。これにより内容物がこの吐出路と接続筒４６とを介してノズルヘッド６０内へ流入してノズルから吐出する。
【００２５】
上記のようにシリンダ部材１０の下部内には吸込み弁、嵌合筒およびバネ材が設けられているため、これらの占有分だけシリンダ部材１０内の体積は小さくなっており、したがって、従来に比較して吐出力の増大が見込める。このためシリンダ部材１０内へ吸込まれた気泡は迅速に排出される。
【００２６】
吐出後、容器体１が下降すると、これと共にシリンダ部材１０も下降するため、容器体内容物が玉弁を上昇させてシリンダ部材１０内へ吸引される。その際、玉弁は上昇して弾性片を斜め上に弾性変形させるが、ピストン部材１０が上限に達して吸引力が低下すると、玉弁は弾性片の弾性力で押下げられて速やかに閉弁位置に復帰する。上記のようにして、内容物がシリンダ部材内へ吸込まれて、容器体内の内容物が減少すると、これに応じて第１栓筒７が上昇する。
【００２７】
なお、容器体１はシリンダ部材１０に対して着脱自在であり、したがって、内容物を使い切った場合には、新しい容器体と交換することが可能である。
【産業上の利用可能性】
【００２８】
本発明は容器体内容物をポンプ作用により少量吐出して塗布する塗布容器等の吐出容器の分野に利用することができる。
【符号の説明】
【００２９】
1  容器体
２  筒体
３  口頸部
４  押釦筒
５  第１筒体
６  テーパ筒
７  第１栓筒
８  第２栓筒
９  第２筒体
９ａ  小外径部
９ｂ  大外径部
１０はシリンダ部材
１１  小内径部
１１ａ  第２上向き段部
１２  第１大内径部
１３  第２大内径部
１４  テーパ筒
１５  玉弁
１６  嵌合筒
１７  弾性片
２０  ピストン部材
２１  筒部
２２  保持筒部
３０  作動部材
３１  作動杆
３２  鍔部
３５  バネ材
４０  連結筒
４１  周壁
４１ａ  割溝
４１ｂ  係合突部
４２  上向き段部
４３  小内径部
４４  嵌合筒
４６  接続筒
４７  係合手段
４８  係合段部
４９  バネ材
４９ｂ  内筒
５０  把持筒
５１ａ  筒部
６１  塗布部
７０  キャップ
７１  周壁
【図１】
2010235199.tif 000003
【図２】
2010235199.tif 000004